Podtech/llm-jp-corpus-v4-ja_patent huggingface dataset:
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
ロボットのアームと、カメラと、を制御する制御装置であって、
前記アームを制御するアーム制御部と、
前記カメラを制御するカメラ制御部と、
前記アームが特定の位置姿勢をとるように前記アーム制御部により制御された状態で前記アームを前記カメラで撮影した画像から、前記アームに設けられた特定形状のカメラ座標系における所定位置を検出する位置検出部と、
前記位置検出部によって検出された前記所定位置と、前記制御装置内に予め記憶された基準所定位置とのずれが、予め設定された許容範囲内であるか否か判定する位置判定部と、を備える、制御装置。
【請求項２】
請求項１に記載の制御装置であって、
前記位置検出部が検出する前記特定形状は、前記アームに付されたマークであり、
前記マークは、図心が重なる複数の構成要素から成り、
前記位置検出部は、前記図心の重なりを検出することによって、前記画像から前記マークを検出するとともに、前記画像内における前記マークの図心を前記所定位置として検出する、制御装置。
【請求項３】
アームを有するロボットと、
カメラと、
前記ロボットに接続され、前記ロボットを制御する制御部を有する制御装置と、
を備え、
前記制御部は、
前記アームを特定の位置姿勢とし、
前記特定の位置姿勢にある前記アームを前記カメラで撮像して、画像を取得し、
前記画像から、前記アームに設けられた特定形状のカメラ座標系における所定位置を検出し、
前記所定位置と、記憶部に予め記憶された基準所定位置とのずれが、予め設定された許容範囲内であるか否か判定する、
ロボットシステム。
【請求項４】
アームと、カメラと、を備えるロボットにおいて前記カメラと前記アームとのうち少なくとも一方の異常を確認する方法であって、
前記アームが特定の位置姿勢をとるように制御された状態で前記アームを撮影した画像を取得する画像取得工程と、
前記画像から、前記アームに設けられた特定形状のカメラ座標系における所定位置を検出する位置検出工程と、
前記位置検出工程において検出された前記所定位置と、予め記憶された基準所定位置とのずれが、予め設定された許容範囲内であるか否か判定する位置判定工程と、
を備える、方法。
【手続補正２】
【補正対象書類名】明細書
【補正対象項目名】発明の名称
【補正方法】変更
【補正の内容】
【発明の名称】ロボットの制御装置、ロボットシステム、並びに、ロボットの異常を確認する方法
【手続補正３】
【補正対象書類名】明細書
【補正対象項目名】０００１
【補正方法】変更
【補正の内容】
【０００１】
本発明は、ロボットの制御装置、ロボットシステム、並びに、ロボットの異常を確認する方法に関するものである。
【手続補正書】
【提出日】令和2年5月14日(2020.5.14)
【手続補正１】
【補正対象書類名】明細書
【補正対象項目名】０００９
【補正方法】変更
【補正の内容】
【０００９】
（第１実施形態）
まず、第１実施形態について図１〜図３を参照して説明する。
第１実施形態における給水装置１（以下、第１給水装置１と称する）は、給水対象となる装置に対して給水を行うためのものである。第１給水装置１は、給水対象となる装置に接続されて、又は給水対象となる装置に組み込まれて用いられる。給水対象となる装置は、例えば洗濯機、食器洗浄機、温水便座、ウォーターサーバー、給湯器、又は電解水生成装置等があるが、これらに限られない。
【手続補正２】
【補正対象書類名】明細書
【補正対象項目名】００１０
【補正方法】変更
【補正の内容】
【００１０】
第１給水装置１は、図１に示すように、給水弁１１、入口側流路１２、複数の出口側流路２１、３１、及び微細気泡発生器４０、を備えている。本実施形態の場合、第１給水装置１は、２つの出口側流路２１、３１を備えている。給水弁１１は、入口側流路１２と、２つの出口側流路２１、３１との間に設けられており、これら入口側流路１２と、出口側流路２１、３１との間を開閉する。給水弁１１は、電気信号により開閉制御可能な電磁弁で構成しても良いし、人間の手による操作によって開閉される手動弁で構成しても良い。入口側流路１２は、図示しないホースを介して外部の給水源である水道の蛇口等に接続される。すなわち、給水弁１１は、入口側流路１２及び図示しないホースを介して、外部の給水源に接続される。
【手続補正３】
【補正対象書類名】明細書
【補正対象項目名】００４８
【補正方法】変更
【補正の内容】
【００４８】
取付部材７１は、１つの微細気泡水供給路２３内において複数、この場合２個の微細気泡発生器８０を並列に配置するための部品である。取付部材７１は、図９に示すように、例えば断面が長穴形状又は円形若しくは楕円となる筒状に形成されている。取付部材７１は、内部に２つの収容部７１１を有している。
【手続補正４】
【補正対象書類名】明細書
【補正対象項目名】００４９
【補正方法】変更
【補正の内容】
【００４９】
各収容部７１１は、取付部材７１を、段部７１２を有する円筒形状に貫いて形成されている。各収容部７１１は、微細気泡発生器８０をそれぞれ１個ずつ収容可能に構成されている。この場合、各収容部７１１は、相互に独立している。すなわち、２つの収容部７１１は、相互に連結されていない。したがって、各微細気泡発生器８０も、相互に離間しており、接触していない。つまり、各微細気泡発生器８０の周囲には隙間がほぼ無く、取付部材７１によって埋められている。なお、詳細は図示しないが、取付部材７１と微細気泡水供給路２３とは、例えばいわゆるスナップフィットや、ねじ等の締結部材によって、相互に着脱可能に取り付けられている。
【手続補正５】
【補正対象書類名】図面
【補正対象項目名】図７
【補正方法】変更
【補正の内容】
【図７】
2019025460.tif 000001
【手続補正６】
【補正対象書類名】図面
【補正対象項目名】図１０
【補正方法】変更
【補正の内容】
【図１０】
2019025460.tif 000002
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
複数のシート収納部と、シート情報ごとに調整値情報を記憶するデータベースと、
前記データベースから選択された調整値情報を前記複数のシート収納部のうちのいずれかのシート収納部に対して登録する登録手段とを有するシステムであって、
シートの調整値情報を受け付ける受付手段と、
前記複数のシート収納部から２以上のシート収納部をユーザに選択させる選択手段と、
前記選択手段によって前記２以上のシート収納部が選択されたことに基づいて、前記受付手段によって受け付けたシートの調整値情報を前記選択手段によって選択された２以上のシート収納部の情報のそれぞれと関連付けて前記データベースに記憶させる制御手段とを有することを特徴とするシステム。
【請求項２】
前記登録手段によって登録された調整値情報に基づいてシートに画像を印刷するジョブを実行する印刷装置をさらに有することを特徴とする請求項１に記載のシステム。
【請求項３】
前記調整値情報は、画像の印刷位置に関する情報を含むことを特徴とする請求項２に記載のシステム。
【請求項４】
前記調整値情報は、画像が印刷されたシートのカールを補正する補正値を含むことを特徴とする請求項２に記載のシステム。
【請求項５】
前記登録手段が、前記シートの調整値情報を前記複数のシート収納部のうちのいずれかのシート収納部に登録する際に、当該シートの調整値情報に関連付けられているシートの収納部の情報で示されるシート収納部と、当該シートの調整値情報が登録されるシート収納部とが一致しないことに基づいて所定の通知を行うことを特徴とする請求項１乃至４のいずれか１項に記載のシステム。
【請求項６】
前記２以上のシート収納部のそれぞれと関連付けられて前記データベースに記憶された調整値情報は、それぞれ別々に調整値情報の変更が可能であることを特徴とする請求項１乃至５のいずれか１項に記載のシステム。
【請求項７】
前記登録手段によって登録された調整値情報に基づいてシートに画像を印刷するジョブを実行する印刷装置と通信可能であることを特徴とする請求項１に記載のシステム。
してください。
【請求項８】
複数のシート収納部と、シート情報ごとに調整値情報を記憶するデータベースと、前記データベースから選択された調整値情報を前記複数のシート収納部のうちのいずれかのシート収納部に対して登録する登録手段とを有するシステムの制御方法であって、
シートの調整値情報を受け付ける受付工程と、
前記複数のシート収納部から２以上のシート収納部をユーザに選択させる選択工程と、
前記選択工程において前記２以上のシート収納部が選択されたことに基づいて、前記受付工程で受け付けたシートの調整値情報を前記選択工程において選択された２以上のシート収納部の情報のそれぞれと関連付けて前記データベースに記憶させる制御工程とを有することを特徴とするシステムの制御方法。
【請求項９】
コンピュータに請求項８に記載された制御方法を実行させるためのプログラム。
【手続補正２】
【補正対象書類名】明細書
【補正対象項目名】０００１
【補正方法】変更
【補正の内容】
【０００１】
本発明は、印刷時に使用するシート情報をシート収納部に対して登録するシステム、そのシステムの制御方法及びプログラムに関する。
【手続補正３】
【補正対象書類名】明細書
【補正対象項目名】０００６
【補正方法】変更
【補正の内容】
【０００６】
本発明は、上記の課題を解決するためになされたものである。本発明の目的は、シート収納部ごとの調整値情報のデータベースへの記憶を容易に行うことができる仕組みを提供することにある。
【手続補正４】
【補正対象書類名】明細書
【補正対象項目名】０００７
【補正方法】変更
【補正の内容】
【０００７】
上記目的を達成する本発明のシステムは以下の構成を備える。
複数のシート収納部と、シート情報ごとに調整値情報を記憶するデータベースと、前記データベースから選択された調整値情報を前記複数のシート収納部のうちのいずれかのシート収納部に対して登録する登録手段とを有するシステムであって、シートの調整値情報を受け付ける受付手段と、前記複数のシート収納部から２以上のシート収納部をユーザに選択させる選択手段と、前記選択手段によって前記２以上のシート収納部が選択されたことに基づいて、前記受付手段によって受け付けたシートの調整値情報を前記選択手段によって選択された２以上のシート収納部の情報のそれぞれと関連付けて前記データベースに記憶させる制御手段とを有することを特徴とする。
【手続補正５】
【補正対象書類名】明細書
【補正対象項目名】０００８
【補正方法】変更
【補正の内容】
【０００８】
本発明によれば、シート収納部ごとの調整値情報のデータベースへの記憶を容易に行うことができる。
【手続補正６】
【補正対象書類名】明細書
【補正対象項目名】発明の名称
【補正方法】変更
【補正の内容】
【発明の名称】システム、システムの制御方法及びプログラム
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
記憶部と、ネットワークを介して複数のユーザ端末に接続された制御部とを用いて、ゲーム施策の候補を決定する方法であって、
前記記憶部には、
ユーザに選択されたゲーム媒体に関する情報、および、ゲーム媒体が関連付けられたゲーム施策の候補に関する情報が記憶され、
前記制御部が、
新たにユーザに選択されたゲーム媒体に関する情報、および、当該ゲーム媒体に関連付けられたゲーム施策の候補に関する情報を受信したときには、前記ゲーム施策の候補についての投資データを更新し、
前記更新した投資データが所定の条件を満たすときのゲーム施策の候補をゲーム施策として決定する
ことを特徴とするゲーム施策決定方法。
【請求項２】
前記制御部が、
前記ユーザ端末から受信した前記ゲーム媒体に関する情報を前記ゲーム媒体のパラメータに基づいて数値に換算し、換算した数値の合算値が所定の条件を満たす前記ゲーム施策の候補をゲーム施策として決定する
請求項１に記載のゲーム施策決定方法。
【請求項３】
前記制御部が、
前記ユーザ端末から所定の組み合わせの前記ゲーム媒体に関する情報を受信したときには、前記ゲーム媒体のパラメータに基づく数値を調整する
請求項２に記載のゲーム施策決定方法。
【請求項４】
前記制御部が、
前記ユーザ端末から前記ゲーム媒体に関する情報及び前記ゲーム施策の候補に関する情報を受信したときには前記ゲーム媒体のゲーム内での使用を制限し、
前記記憶部に格納され且つ使用が制限された前記ゲーム媒体に関連付けられた投資データが所定の条件を満たすとき、前記ゲーム媒体のゲームでの使用の制限を解除するとともに、前記ゲーム媒体に関する情報をユーザ端末に送信する
請求項１〜３のいずれか一項に記載のゲーム施策決定方法。
【請求項５】
前記制御部が、
前記ユーザ端末から前記ゲーム媒体に関する情報及び前記ゲーム施策の候補に関する情報を受信したときには、前記ユーザ端末における前記ゲーム媒体のゲーム内での使用を制限し、
前記記憶部に格納され且つ使用が制限された前記ゲーム媒体に関連付けられた投資データが所定の条件を満たすとき、前記ゲーム媒体のゲームでの使用の制限を解除するとともに、前記ゲーム媒体に関する情報を変化させる処理を実施し、変化後の前記ゲーム媒体に関する情報をユーザ端末に送信する
請求項４に記載のゲーム施策決定方法。
【請求項６】
前記制御部が、
前記ユーザ端末から前記ゲーム媒体に関する情報及び前記ゲーム施策の候補に関する情報を受信したときには、前記ゲーム媒体のゲームでの使用を制限し、
前記記憶部に格納され且つ使用が制限された前記ゲーム媒体に関連付けられた投資データが所定の条件を満たすとき、前記ゲーム施策の候補への投資に用いられた前記ゲーム媒体が決定されたゲーム施策に関連付けられていることを条件に、前記ゲーム施策への投資に用いられた前記ゲーム媒体のゲームでの使用の制限を解除するとともに、前記ゲーム媒体に関する情報を変化させる処理を実施し、変化後の前記ゲーム媒体に関する情報をユーザ端末に送信する
請求項４又は請求項５に記載のゲーム施策決定方法。
【請求項７】
前記制御部が、
前記ゲーム媒体に関する情報を変化させる処理として、前記ゲーム施策の候補への投資に用いられた前記ゲーム媒体、または、前記ゲーム媒体のパラメータが、決定された前記ゲーム施策内において有利となるように変更する
請求項５又は請求項６に記載のゲーム施策決定方法。
【請求項８】
前記制御部が、
ゲーム媒体を用いた前記ゲーム施策の候補への投資が行われている間は、前記ゲーム施策の候補の投資に用いられたゲーム媒体のゲームでの使用を無効にし、
ゲーム媒体を用いた前記ゲーム施策の候補への投資が所定の条件を成立したときには、前記記憶部に格納された投資データが所定の条件を満たしたか否かに関わらず、前記ゲーム施策の候補の投資に用いられたゲーム媒体に関する情報をユーザ端末に送信する
請求項１〜７のいずれか一項に記載のゲーム施策決定方法。
【請求項９】
前記制御部が、
前記記憶部に格納された投資データが所定の条件を満たすまでの達成率を算出し、
前記算出した達成率と所定の閾値との関係を判定し、
前記判定の結果に基づいて、前記ゲーム媒体を用いた前記ゲーム施策の候補への投資期間を延長する
請求項１〜８のいずれか一項に記載のゲーム施策決定方法。
【請求項１０】
前記制御部が、
前記記憶部に格納された投資データが第１の条件を満たすとき、前記ゲーム施策の候補を変更して複数のユーザ端末に送信し、
複数のユーザ端末からのゲーム媒体を用いた前記ゲーム施策の候補への投資データが第１の条件とは異なる第２の条件を満たすとき、変更した前記ゲーム施策の候補をゲーム施策として決定する
請求項１〜９のいずれか一項に記載のゲーム施策決定方法。
【請求項１１】
前記制御部が、
前記ゲーム施策の候補に関連付けられた投資データが所定の条件を満たすか否かを判断し、前記所定の条件を満たす前記ゲーム施策の候補をゲーム施策として決定し、
前記ゲーム施策を決定したとき、前記ゲーム施策に対応する情報であってユーザの投資したゲーム媒体に関する情報に応じて、前記ゲーム施策の実行時の前記ユーザ端末におけるゲーム環境の設定を調整する
請求項１〜１０のいずれか一項に記載のゲーム施策決定方法。
【請求項１２】
記憶部と、ネットワークを介して複数のユーザ端末に接続された制御部とを用いて、ゲーム施策の実施を決定するプログラムであって、
前記記憶部には、
ユーザに選択されたゲーム媒体に関する情報、および、ゲーム媒体が関連付けられたゲーム施策の候補に関する情報が記憶され、
前記制御部を、
新たにユーザに選択されたゲーム媒体に関する情報、および、当該ゲーム媒体に関連付けられたゲーム施策の候補に関する情報を受信したときには、前記ゲーム媒体の候補についての投資データを更新し、
前記更新した投資データが所定の条件を満たすときのゲーム施策の候補をゲーム施策として決定する手段として機能させることを特徴とするゲーム施策決定プログラム。
【請求項１３】
記憶部と、ネットワークを介して複数のユーザ端末に接続された制御部とを用いて、ゲーム施策の実施を決定し、
前記記憶部には、
ユーザに選択されたゲーム媒体に関する情報、および、ゲーム媒体が関連付けられたゲーム施策の候補に関する情報が記憶され、
前記制御部が、
新たにユーザに選択されたゲーム媒体に関する情報、および、当該ゲーム媒体に関連付けられたゲーム施策の候補に関する情報を受信したときには、前記ゲーム媒体の候補についての投資データを更新し、
前記更新した投資データが所定の条件を満たすときのゲーム施策の候補をゲーム施策として決定することを特徴とする情報処理装置。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
発射手段により発射された遊技球が遊技領域に設けられる受入口に入球したことに基づいて抽選を行い、該抽選が当りになることに基づいて遊技者に利益を付与することができる遊技機であって、
前記遊技機の電源投入を行うことができる電源投入手段と、
前記抽選に関する設定情報の設定および決定が可能な特別状態を発生させる特別状態発生手段と、
前記遊技機の電源遮断後においても各種情報を記憶保持することができる記憶手段と、
前記設定情報を表示することができる表示手段と、
管理者によって操作可能な管理者操作部と、
を備え、
前記管理者操作部に対する操作として、第１信号を出力可能な状態となる第１操作と、第２信号を出力可能な状態となる第２操作とを行うことが可能であり、
前記電源投入手段により前記遊技機の電源投入が行われたときに前記第１信号の出力を特定して前記特別状態を発生させ、前記特別状態中に前記第２信号の出力を特定して前記設定情報を決定することが可能である、
ことを特徴とする遊技機。
【手続補正２】
【補正対象書類名】明細書
【補正対象項目名】０００７
【補正方法】変更
【補正の内容】
【０００７】
本発明は、
発射手段により発射された遊技球が遊技領域に設けられる受入口に入球したことに基づいて抽選を行い、該抽選が当りになることに基づいて遊技者に利益を付与することができる遊技機であって、
前記遊技機の電源投入を行うことができる電源投入手段と、
前記抽選に関する設定情報の設定および決定が可能な特別状態を発生させる特別状態発生手段と、
前記遊技機の電源遮断後においても各種情報を記憶保持することができる記憶手段と、
前記設定情報を表示することができる表示手段と、
管理者によって操作可能な管理者操作部と、
を備え、
前記管理者操作部に対する操作として、第１信号を出力可能な状態となる第１操作と、第２信号を出力可能な状態となる第２操作とを行うことが可能であり、
前記電源投入手段により前記遊技機の電源投入が行われたときに前記第１信号の出力を特定して前記特別状態を発生させ、前記特別状態中に前記第２信号の出力を特定して前記設定情報を決定することが可能である、
ことを特徴とする。
また、本発明とは別の発明として、以下の手段を参考的に開示する。
（解決手段１）
発射手段により発射された遊技球が遊技領域に設けられる受入口に入球したことに基づいて遊技の進行を行うことができる遊技機であって、前記遊技機の電源投入を行うことができる電源投入手段と、遊技者にとって有利となる複数の設定情報のうちいずれか一つを選択することができる選択手段と、前記遊技機の電源遮断後においても各種情報を記憶保持することができる記憶手段と、前記選択手段による設定情報の選択許可又は前記記憶手段に記憶保持される設定情報の表示許可を設定することができる選択表示設定手段と、設定情報を決定することができる決定手段と、設定情報を表示することができる表示手段と、を備え、前記選択表示設定手段により前記設定情報の選択許可が設定された後に前記電源投入手段により前記遊技機の電源投入が行われると、前記選択手段により選択される設定情報が前記表示手段に表示されて前記決定手段により決定され、該決定した設定情報が前記記憶手段に記憶保持され、前記電源投入手段により前記遊技機の電源投入が行われた後に前記選択表示設定手段により前記設定情報の表示許可が設定されると、前記記憶手段に記憶保持される設定情報が前記表示手段に表示される、ことを特徴とする遊技機。
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
識別情報の変動表示を行う識別情報表示手段を備え、前記識別情報の変動表示の結果が特定表示結果になることに基づいて、遊技者に所定の利益を付与し得る特別遊技が実行可能となる遊技機であって、
所定の可動演出を実行可能な可動演出手段を備え、
前記可動演出手段は、前記識別情報表示手段の表示面の手前側を面方向に移動可能な可動部材を有しており、
前記可動部材は、所定の第１位置と第２位置との間を移動可能であって、前記第１位置にあるときと前記第２位置にあるときとで、前記表示面に対して垂直方向の位置が異なる
ことを特徴とする遊技機。
【請求項２】
前記可動部材は、前記第１位置にあるときには前記表示面に近づき、前記第２位置にあるときには前記表示面から離れる
ことを特徴とする請求項１に記載の遊技機。
【請求項３】
遊技領域が形成された遊技盤と、
前記遊技領域を流下する遊技球を受け入れて転動させることが可能なステージ部と、
を備え、
前記第１位置は前記ステージ部に近い位置であるとともに、前記第２位置は前記ステージ部から離れた位置であり、
前記可動部材は、少なくとも前記第１位置にあるときには、前記遊技盤の盤面表側から盤面裏側方向へ離れた状態となる
こと特徴とする請求項１又は２に記載の遊技機。
【請求項４】
前記第１位置は前記可動部材の待機位置であるとともに、前記第２位置は前記可動部材の動作位置であり、
前記可動部材は、前記第２位置にあるときに所定の演出動作を実行可能である
こと特徴とする請求項１から３の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の手段を採ることとした。
（１）手段１の遊技機は、
識別情報の変動表示を行う識別情報表示手段を備え、前記識別情報の変動表示の結果が特定表示結果になることに基づいて、遊技者に所定の利益を付与し得る特別遊技が実行可能となる遊技機であって、
所定の可動演出を実行可能な可動演出手段を備え、
前記可動演出手段は、前記識別情報表示手段の表示面の手前側を面方向に移動可能な可動部材を有しており、
前記可動部材は、所定の第１位置と第２位置との間を移動可能であって、前記第１位置にあるときと前記第２位置にあるときとで、前記表示面に対して垂直方向の位置が異なる
ことを要旨とする。
手段１の遊技機では、可動演出手段の可動部材が、識別情報表示手段の表示面の手前側を面方向に移動可能となっており、第１位置と第２位置との間を移動するものとなっている。そして、可動部材が、第１位置に存在するときと、第２位置に存在するときとで、表示面に対して垂直方向の位置が異なるものとなる。これにより、可動部材を表示面の面方向に移動させつつ垂直方向の位置関係に違いを生じさせる演出動作が実行可能となり、可動部材（可動演出手段）による演出動作の多様化を図ることが可能となる。
（２）手段２の遊技機は、上記手段１の遊技機において、
前記可動部材は、前記第１位置にあるときには前記表示面に近づき、前記第２位置にあるときには前記表示面から離れる
ことを要旨とする。
手段２の遊技機では、識別情報表示手段の表示面の手前側を移動する可動部材の位置に応じて、可動部材と表示面との間隔（クリアランス）が狭くなったり（第１位置）、広くなったりする（第２位置）。このような可動部材と表示面との間隔の変化を活かして、可動部材（可動演出手段）による演出動作の多様化を図ることが可能となる。
（３）手段３の遊技機は、上記手段１又は２の遊技機において、
遊技領域が形成された遊技盤と、
前記遊技領域を流下する遊技球を受け入れて転動させることが可能なステージ部と、
を備え、
前記第１位置は前記ステージ部に近い位置であるとともに、前記第２位置は前記ステージ部から離れた位置であり、
前記可動部材は、少なくとも前記第１位置にあるときには、前記遊技盤の盤面表側から盤面裏側方向へ離れた状態となる
ことを要旨とする。
手段３の遊技機では、遊技領域を流下する遊技球を受け入れて転動させることが可能なステージ部を備えており、可動部材が、ステージ部に近い位置（第１位置）と、ステージ部から離れた位置（第２位置）との間を移動し得るものとなる。そして、可動部材がステージ部に近い位置（第１位置）にあるとき、当該可動部材は、遊技盤の盤面表側から盤面裏側方向へ離れた位置に存在する状態となる。これにより、ステージ部の機能が損なわれるのを防止しつつ、可動部材（可動演出手段）による演出動作の多様化を図ることが可能となる。
（４）手段４の遊技機は、上記手段１から３の何れか一つの遊技機において、
前記第１位置は前記可動部材の待機位置であるとともに、前記第２位置は前記可動部材の動作位置であり、
前記可動部材は、前記第２位置にあるときに所定の演出動作を実行可能である
ことを要旨とする。
手段４の遊技機では、可動部材が待機位置（第１位置）と動作位置（第２位置）との間を移動し得るものとなっている。そして、可動部材が動作位置（第２位置）にあるときに、当該可動部材が所定の演出動作を実行可能となっている。このため、可動部材の待機位置（第１位置）から動作位置（第２位置）への移動に際し、面方向に移動させつつ垂直方向の位置変化を生じさせた上で、さらなる可動部材による演出動作が実行され得ることとなる。これにより、可動部材（可動演出手段）による演出動作を変化に富んだものとすることが可能となる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
始動口に遊技球が入球することに基づいて抽選を行い、該抽選の結果として当り結果が導出された場合に所定の当り遊技を実行する遊技機において、
管理者が操作可能な設定関連操作部と、
前記設定関連操作部に対する操作に基づいて前記当り結果が導出される確率に関する設定値を決定可能な設定値決定手段と、
を備え、
前記設定関連操作部は、遊技者が接触不能な裏面を有する開閉部の裏面側に設けられており、
前記開閉部の開放を検知していない場合には、前記設定関連操作部に対する操作による前記設定値の決定を行うことが不能とされ、前記開閉部の開放を検知した場合には、前記設定関連操作部に対する操作による前記設定値の決定を行うことが可能とされる
ことを特徴とする遊技機。
【手続補正２】
【補正対象書類名】明細書
【補正対象項目名】０００６
【補正方法】変更
【補正の内容】
【０００６】
本発明は上記に鑑みなされたもので、その目的は、設定に関連する操作部を備えた遊技機の防犯性能を高めることにある。
【手続補正３】
【補正対象書類名】明細書
【補正対象項目名】０００７
【補正方法】変更
【補正の内容】
【０００７】
上記の目的を達成するため本発明は、
始動口に遊技球が入球することに基づいて抽選を行い、該抽選の結果として当り結果が導出された場合に所定の当り遊技を実行する遊技機において、
管理者が操作可能な設定関連操作部と、
前記設定関連操作部に対する操作に基づいて前記当り結果が導出される確率に関する設定値を決定可能な設定値決定手段と、
を備え、
前記設定関連操作部は、遊技者が接触不能な裏面を有する開閉部の裏面側に設けられており、
前記開閉部の開放を検知していない場合には、前記設定関連操作部に対する操作による前記設定値の決定を行うことが不能とされ、前記開閉部の開放を検知した場合には、前記設定関連操作部に対する操作による前記設定値の決定を行うことが可能とされる
ことを特徴とする（段落２４２０等参照）。
【手続補正４】
【補正対象書類名】明細書
【補正対象項目名】０００８
【補正方法】変更
【補正の内容】
【０００８】
本発明によれば、設定に関連する操作部を備えた遊技機の防犯性能を高めることができる。
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
所定の演出表示を実行可能な演出表示手段と、
所定の可動演出を実行可能な可動演出手段と、を備えた遊技機であって、
前記可動演出手段は、前記演出表示手段の表示面の手前側を移動可能な可動部材を有しており、
前記可動部材の移動範囲内の所定位置には、前記可動部材の所定動作を規制する動作規制手段が設けられており、
前記可動部材が移動して前記所定位置を外れることで、前記動作規制手段による規制が解かれて前記可動部材の所定動作が実行可能となる
ことを特徴とする遊技機。
【請求項２】
前記可動演出手段は、所定の枠部材に設けられるもので、
前記枠部材には、前記可動部材の移動を許容する移動許容手段が設けられており、
前記動作規制手段は、前記移動許容手段と一体的に設けられている
ことを特徴とする請求項１に記載の遊技機。
【請求項３】
前記所定動作は、前記可動部材の位置であって、前記演出表示手段の表示面に対して垂直方向の位置を異ならせる動作である
ことを特徴とする請求項１又は２に記載の遊技機。
【請求項４】
前記可動部材は複数設けられており、
前記複数の可動部材の各々に対して前記動作規制手段が設けられている
ことを特徴とする請求項１から３の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の手段を採ることとした。
（１）手段１の遊技機は、
所定の演出表示を実行可能な演出表示手段と、
所定の可動演出を実行可能な可動演出手段と、を備えた遊技機であって、
前記可動演出手段は、前記演出表示手段の表示面の手前側を移動可能な可動部材を有しており、
前記可動部材の移動範囲内の所定位置には、前記可動部材の所定動作を規制する動作規制手段が設けられており、
前記可動部材が移動して前記所定位置を外れることで、前記動作規制手段による規制が解かれて前記可動部材の所定動作が実行可能となる
ことを要旨とする。
手段１の遊技機では、可動演出手段の可動部材が演出表示手段の表示面の手前側を移動可能となっており、その移動範囲内の所定位置に可動部材があるときには、当該可動部材による所定動作が動作規制手段によって規制される。そして、可動部材が移動して所定位置から外れることで、動作規制手段による規制が解かれ、可動部材の所定動作が実行可能となる。これにより、演出表示手段の表示面の手前側を移動する可動部材の位置によって、当該可動部材による所定動作が実行不能な状態（規制される状態）と実行可能な状態（規制されない状態）を生じさせることが可能となり、延いては、可動部材（可動演出手段）による演出動作の多様化を図ることが可能となる。
（２）手段２の遊技機は、上記手段１の遊技機において、
前記可動演出手段は、所定の枠部材に設けられるもので、
前記枠部材には、前記可動部材の移動を許容する移動許容手段が設けられており、
前記動作規制手段は、前記移動許容手段と一体的に設けられている
ことを要旨とする。
手段２の遊技機では、可動演出手段が設けられる枠部材に、可動部材の移動を許容する移動許容手段が設けられており、当該移動許容手段と一体的に動作規制手段が設けられるものとなっている。これにより、可動部材の移動範囲内での移動を許容する手段と、可動部材の所定動作を実行不能（規制）または実行可能（規制解除）とする手段とを集約した簡便な構成により、可動部材（可動演出手段）による演出動作の多様化を図ることが可能となる。
（３）手段３の遊技機は、上記手段１又は２の遊技機において、
前記所定動作は、前記可動部材の位置であって、前記演出表示手段の表示面に対して垂直方向の位置を異ならせる動作である
ことを要旨とする。
手段３の遊技機では、動作規制手段による規制が解かれることで実行可能となる可動部材の所定動作が、当該可動部材の、遊技盤面に対して垂直方向の位置を異ならせる動作となっている。これにより、可動部材を演出表示手段の表示面の手前側で移動させつつ、当該可動部材の垂直方向の位置も変化させるといった演出動作が実現可能となる。
（４）手段４の遊技機は、上記手段１から３の何れか一つの遊技機において、
前記可動部材は複数設けられており、
前記複数の可動部材の各々に対して前記動作規制手段が設けられている
ことを要旨とする。
手段４の遊技機では、可動部材が複数設けられるとともに、これら複数の可動部材の各々について動作規制手段が設けられる。これにより、複数の可動部材の各々について、演出表示手段の表示面の手前側での移動および規制解除に基づく所定動作が実行され得るものとして、演出動作の多様化を図ることが可能となる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
遊技球が始動口に入球することに基づいて抽選を行い、該抽選の結果として当り結果が導出された場合に所定の当り遊技を実行する遊技機において、
管理者が操作可能な設定関連操作部と、
前記設定関連操作部に対する操作に基づいて、前記当り結果が導出される確率に関する設定値を決定可能な設定値決定手段と、
を備え、
前記設定関連操作部は、遊技者が接触不能な裏面を有する開閉部の裏面側に設けられており、
前記開閉部の裏面側にはカバー部が設けられ、前記開閉部の開閉状態にかかわらず前記カバー部によって前記設定関連操作部が覆われる
ことを特徴とする遊技機。
【手続補正２】
【補正対象書類名】明細書
【補正対象項目名】０００６
【補正方法】変更
【補正の内容】
【０００６】
本発明は上記に鑑みなされたもので、その目的は、設定に関連する操作部を備えた遊技機の防犯性能を高めることにある。
【手続補正３】
【補正対象書類名】明細書
【補正対象項目名】０００７
【補正方法】変更
【補正の内容】
【０００７】
上記の目的を達成するため本発明は、
遊技球が始動口に入球することに基づいて抽選を行い、該抽選の結果として当り結果が導出された場合に所定の当り遊技を実行する遊技機において、
管理者が操作可能な設定関連操作部と、
前記設定関連操作部に対する操作に基づいて、前記当り結果が導出される確率に関する設定値を決定可能な設定値決定手段と、
を備え、
前記設定関連操作部は、遊技者が接触不能な裏面を有する開閉部の裏面側に設けられており、
前記開閉部の裏面側にはカバー部が設けられ、前記開閉部の開閉状態にかかわらず前記カバー部によって前記設定関連操作部が覆われる
ことを特徴とする（段落２４１８、図２５０等参照）。
【手続補正４】
【補正対象書類名】明細書
【補正対象項目名】０００８
【補正方法】変更
【補正の内容】
【０００８】
本発明によれば、設定に関連する操作部を備えた遊技機の防犯性能を高めることができる。
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
所定の演出を実行可能な遊技機であって、
第１歯部が設けられた第１ギヤと、
前記第１歯部と噛合可能な第２歯部が設けられた第２ギヤと、
前記第１ギヤを作動させる駆動源と、
を備え、
前記演出として、所定の動作部材が動作する可動演出を実行可能であり、
前記動作部材は、前記駆動源の駆動により前記第１ギヤが作動するとともに当該作動に伴って前記第２ギヤが作動することで所定の動作を行うものであり、
前記第１歯部および前記第２歯部の噛合に際し、前記第１ギヤおよび前記第２ギヤが互いに離れるのを防止可能に構成した
ことを特徴とする遊技機。
【請求項２】
所定の第１位置と第２位置との間を移動可能な可動部材を備え、
前記可動部材は、前記第２ギヤおよび前記動作部材を含んで構成されるものであり、
前記可動部材が前記第１位置にあるときには、前記第１ギヤおよび前記第２ギヤが離れて前記第１歯部および前記第２歯部が噛合せず、
前記可動部材が前記第２位置にあるときには、前記第１ギヤおよび前記第２ギヤが近接して前記第１歯部および前記第２歯部が噛合し、
前記第２位置にある前記可動部材が前記第１位置側へ移動するのを防止可能な移動防止手段を備える
ことを特徴とする請求項１に記載の遊技機。
【請求項３】
前記移動防止手段は、前記可動部材が前記第２位置にあるときの前記第１ギヤの作動に際して、前記可動部材が前記第１位置側へ移動するのを防止する
ことを特徴とする請求項２に記載の遊技機。
【請求項４】
前記動作部材とは別に、前記第２ギヤが作動することで所定の動作を行う他の動作部材を備える
ことを特徴とする請求項１から３の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の手段を採ることとした。
（１）手段１の遊技機は、
所定の演出を実行可能な遊技機であって、
第１歯部が設けられた第１ギヤと、
前記第１歯部と噛合可能な第２歯部が設けられた第２ギヤと、
前記第１ギヤを作動させる駆動源と、
を備え、
前記演出として、所定の動作部材が動作する可動演出を実行可能であり、
前記動作部材は、前記駆動源の駆動により前記第１ギヤが作動するとともに当該作動に伴って前記第２ギヤが作動することで所定の動作を行うものであり、
前記第１歯部および前記第２歯部の噛合に際し、前記第１ギヤおよび前記第２ギヤが互いに離れるのを防止可能に構成した
ことを要旨とする。
手段１の遊技機では、駆動源の駆動により第１ギヤが作動すると、当該第１ギヤの第１歯部と噛合する第２歯部を有する第２ギヤが作動し、当該第２ギヤの作動により動作部材が動作して、可動演出が行われる。そして、第１歯部および第２歯部の噛合に際して、第１ギヤおよび第２ギヤが互いに離れるのを防止し得るものとしている。このため、第１ギヤが作動するときには、第１歯部（第１ギヤ）と第２歯部（第２ギヤ）がしっかりと噛合する状態とすることが可能となる。これにより、動作部材の動作不良を招くことなく、当該動作部材の動作を円滑に行うことが可能となり、延いては、質の高い可動演出を実現して演出効果を高めることが可能となる。
（２）手段２の遊技機は、上記手段１の遊技機において、
所定の第１位置と第２位置との間を移動可能な可動部材を備え、
前記可動部材は、前記第２ギヤおよび前記動作部材を含んで構成されるものであり、
前記可動部材が前記第１位置にあるときには、前記第１ギヤおよび前記第２ギヤが離れて前記第１歯部および前記第２歯部が噛合せず、
前記可動部材が前記第２位置にあるときには、前記第１ギヤおよび前記第２ギヤが近接して前記第１歯部および前記第２歯部が噛合し、
前記第２位置にある前記可動部材が前記第１位置側へ移動するのを防止可能な移動防止手段を備える
ことを要旨とする。
手段２の遊技機では、第１位置と第２位置との間を移動可能な可動部材を備え、当該可動部材が、第２ギヤおよび動作部材を含むものとなっている。そして、可動部材が第１位置にあるときには、第１ギヤおよび第２ギヤが離れて第１歯部および第２歯部が噛合しないことから、動作部材が動作することはなく、動作部材の動作による可動演出は行われない。一方、可動部材が第２位置にあるときには、第１ギヤおよび第２ギヤが近接して第１歯部および第２歯部が噛合するので、このときに駆動源の駆動により第１ギヤが作動すると、これに伴って第２ギヤが作動し、当該第２ギヤの作動により動作部材が動作する。このため、可動部材が第２位置にあるときには、動作部材の動作による可動演出が実行可能となる。ここで、前述のように、第１歯部および第２歯部の噛合に際し、第１ギヤおよび第２ギヤが互いに離れるのを防止可能とするところ、可動部材が第２位置にあるときに可動部材の第１位置側への移動を防止することで、第１ギヤと第２ギヤが離れないものとなるため、当該状況下での第１歯部および第２歯部の噛合に際し、第１ギヤおよび第２ギヤが互いに離れるのを防止することが可能となる。これにより、第２位置にある可動部材が第１位置側へ移動すること（位置ズレ）を防止しつつ、第１ギヤおよび第２ギヤが互いに離れるのを防止することが可能となり、質の高い可動演出が効率的に得られるものとなる。
（３）手段３の遊技機は、上記手段２の遊技機において、
前記移動防止手段は、前記可動部材が前記第２位置にあるときの前記第１ギヤの作動に際して、前記可動部材が前記第１位置側へ移動するのを防止する
ことを要旨とする。
手段３の遊技機では、可動部材が第２位置にあるときの第１ギヤの作動に際して、可動部材の第１位置側への移動が防止されるものとなっている。これにより、可動部材が第２位置にあるときの可動演出の実行に際し、動作部材の動作不良を防止することの確実性を増すことが可能となる。
（４）手段４の遊技機は、上記手段１から３の何れか一つの遊技機において、
前記動作部材とは別に、前記第２ギヤが作動することで所定の動作を行う他の動作部材を備える
ことを要旨とする。
手段４の遊技機では、第２ギヤが作動することで、複数の動作部材が動作し得るものとなっている。このため、一の駆動源で複数の動作部材を動作させることが可能となる。これにより、簡便な構成で可動演出の質や演出効果の向上を図ることが可能となる。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
被験者の顔面皮膚の血流情報を取得する取得工程と、
前記取得された血流情報に基づいて前記被験者の顔の肌指標値を算出する算出工程と、
を含み、
前記取得される血流情報は、或る血流指標に関する血流指標値を含み、
前記算出工程では、前記血流指標と肌状態指標との相関性に基づいて、前記血流指標値から前記肌指標値を算出する、
肌指標値算出方法。
【請求項２】
前記取得工程では、
前記被験者の顔面皮膚にレーザ光を照射し散乱光を撮像して得られる光強度画像を取得し、
前記取得された光強度画像から前記被験者の顔面皮膚の一種以上の血流指標に関する血流指標値を取得し、
前記算出工程では、前記取得された血流指標値に基づいて、前記被験者の顔に関する複数種の肌指標値を算出する、
請求項１に記載の肌指標値算出方法。
【請求項３】
前記血流指標は、ＭＢＲ（Ｍｅａｎ  Ｂｌｕｒ  Ｒａｔｅ）、並びに、ＭＢＲを用いて算出される、Ｆａｌｌｉｎｇ  ｒａｔｅ、ＣＶＲ（Ｃｕｔａｎｅｏｕｓ  Ｖａｓｃｕｌａｒ  Ｒｅｓｉｓｔａｎｃｅ）、ＲＩ（Ｒｅｓｉｓｔｉｖｉｔｙ  Ｉｎｄｅｘ）、Ｆｌｕｃｔｕａｔｉｏｎ、及びＢＯＴ（Ｂｌｏｗｏｕｔ  Ｔｉｍｅ）の中のいずれか一つを含み、
前記肌状態指標は、肌の粘弾性、水分蒸散量、角層水分量、肌色、及び角層細胞面積の中のいずれか一つを含む、
請求項１又は２に記載の肌指標値算出方法。
【請求項４】
前記取得工程では、
前記被験者の顔面皮膚にレーザ光を照射し散乱光を撮像して得られる光強度画像を取得し、
前記取得された光強度画像から前記被験者の顔面皮膚の複数部位における或る血流指標の血流指標値を取得し、
前記算出工程では、前記取得された前記複数部位の血流指標値に基づいて、前記被験者の顔の肌指標値を算出する、
請求項１から３のいずれか一項に記載の肌指標値算出方法。
【請求項５】
請求項１から４のいずれか一項に記載の肌指標値算出方法を含み、
前記算出された肌指標値に基づいて、スキンケア手法又はスキンケア品の提案情報を提示する提示工程、
を更に含む肌美容カウンセリング方法。
【請求項６】
請求項４に記載の肌指標値算出方法を含み、
前記算出された肌指標値に基づいて、スキンケア手法又はスキンケア品の提案情報を提示する提示工程、
を更に含み、
前記複数部位は、ベースケアに対応する複数部位と、該複数部位とは異なる局所ケアに対応する部位とを含み、
前記算出工程では、前記ベースケアに対応する前記複数部位の血流指標値に基づいて前記被験者の広域肌指標値を算出し、前記局所ケアに対する部位の血流指標値に基づいて前記被験者の局所肌指標値を算出し、
前記提示工程では、前記広域肌指標値及び前記局所肌指標値に基づいて、前記ベースケア及び前記局所ケアの少なくとも一方のスキンケア手法又はスキンケア品の提案情報を提示する、
肌美容カウンセリング方法。
【請求項７】
請求項１から４のいずれか一項に記載の肌指標値算出方法を含み、
対象スキンケア手法の実施前後又は対象スキンケア品の使用前後の前記被験者に関して前記肌指標値算出方法を実行することにより、該対象スキンケア手法の実施前後又は該対象スキンケア品の使用前後の肌指標値を比較する比較工程と、
前記比較工程での比較結果に基づいて前記対象スキンケア手法又は前記対象スキンケア品の効果情報を提示する提示工程と、
を更に含むスキンケア手法又はスキンケア品の効果提示方法。
【請求項８】
被験者の顔面皮膚の血流指標値を取得する取得手段と、
前記取得された血流指標値を血流指標と肌状態指標との相関式に適用することにより、前記被験者の顔の肌状態を示す肌指標値を算出する算出手段と、
を備える肌状態評価装置。
【請求項９】
前記取得手段は、
前記被験者の顔面皮膚にレーザ光を照射し散乱光を撮像して得られる光強度画像を取得し、
前記取得された光強度画像から前記被験者の顔面皮膚の一種以上の血流指標に関する血流指標値を取得し、
前記算出手段は、前記血流指標と前記肌状態指標との一以上の相関式に前記取得された血流指標値を適用することにより、前記被験者の顔に関する複数種の肌指標値を算出する、
請求項８に記載の肌状態評価装置。
【請求項１０】
前記取得手段は、
前記被験者の顔面皮膚にレーザ光を照射し散乱光を撮像して得られる光強度画像を取得し、
前記取得された光強度画像から前記被験者の顔の複数部位に関する皮膚の血流指標値を部位ごとに取得し、
前記算出手段は、前記血流指標と前記肌状態指標との一以上の相関式に前記取得された前記複数部位の血流指標値を適用することにより、前記被験者の顔の肌指標値を算出する、
請求項８に記載の肌状態評価装置。
【手続補正２】
【補正対象書類名】明細書
【補正対象項目名】発明の名称
【補正方法】変更
【補正の内容】
【発明の名称】肌指標値算出方法及び肌状態評価装置
【手続補正３】
【補正対象書類名】明細書
【補正対象項目名】０００８
【補正方法】変更
【補正の内容】
【０００８】
第一の態様は、肌指標値算出方法に関する。第一の態様に係る肌指標値算出方法は、被験者の顔面皮膚の血流情報を取得する取得工程と、前記取得された血流情報に基づいて前記被験者の顔の肌指標値を算出する算出工程と、を含み、前記取得される血流情報は、或る血流指標に関する血流指標値を含み、前記算出工程では、前記血流指標と肌状態指標との相関性に基づいて、前記血流指標値から前記肌指標値を算出する。
【手続補正４】
【補正対象書類名】明細書
【補正対象項目名】００１０
【補正方法】変更
【補正の内容】
【００１０】
なお、本発明の別態様としては、上記第一態様に係る肌指標値算出方法を含む肌美容カウンセリング方法やスキンケア手法又はスキンケア品の効果提示方法があり得る。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
内部にインクを貯留可能なインク貯留室と、前記インク貯留室の前記内部へ前記インクの流入を可能とするインク入口と、前記インク入口の周囲に設けられた凹部と、を備えたインクタンクに前記インクを補給可能なインク補給容器であって、
前記インクを収容可能な容器本体部と、
前記容器本体部の端部に装着され、前記容器本体部の前記インクを流出させるインク出口が形成されたインク出口形成部と、を備え、
前記インク出口形成部は、
前記インク出口を中心とする放射方向であって、前記インク出口の外側となる領域に設けられ、且つ、前記インク出口の中心を軸心とする軸方向に沿って延び、前記インクタンクの前記凹部に挿入可能か否かにより前記インクタンクへの誤挿入を防止する誤挿入防止部を備えており、
前記誤挿入防止部は、前記凹部の形状に合わせて着脱可能な突起を備えることを特徴とするインク補給容器。
【請求項２】
請求項１に記載のインク補給容器において、
前記インク入口が複数あり、各前記インク入口の前記凹部の形状が異なる場合に、
前記誤挿入防止部は、各前記凹部の形状に合わせて着脱された前記突起を備えることを特徴とするインク補給容器。
【請求項３】
請求項１または請求項２に記載のインク補給容器において、
前記誤挿入防止部が、複数形成されていることを特徴とするインク補給容器。
【請求項４】
請求項１から請求項３のいずれか一項に記載のインク補給容器において、
前記誤挿入防止部は、前記突起を支持する基部を有し、
前記突起の前記基部側の端部に切欠きが備えられていることを特徴とするインク補給容器。
【請求項５】
請求項１から請求項４のいずれか一項に記載のインク補給容器において、
前記誤挿入防止部は、前記インク出口を介して第１誤挿入防止部と第２誤挿入防止部とが対向するように配置され、
前記インク出口の中心に対して点対称となるように前記第１誤挿入防止部及び前記第２誤挿入防止部の各前記突起を着脱されていることを特徴とするインク補給容器。
【請求項６】
請求項１から請求項５のいずれか一項に記載のインク補給容器において、
前記誤挿入防止部の前記突起が全て除去されていることを特徴とするインク補給容器。
【請求項７】
内部にインクを貯留可能なインク貯留室と、前記インク貯留室の前記内部へ前記インクの流入を可能とするインク入口と、前記インク入口の周囲に設けられた凹部と、を備えたインクタンクに前記インクを補給可能なインク補給容器であって、
前記インクを収容可能な容器本体部と、
前記容器本体部の端部に装着され、前記容器本体部の前記インクを流出させるインク出口が形成されたインク出口形成部と、を備え、
前記インク出口形成部は、互いに着脱可能に結合された第１部材と、第２部材とを備え、
前記第１部材は、前記インク出口が先端に形成された筒部と、結合部とを備え、
前記第２部材は、
前記筒部を挿入可能な貫通孔と、
前記貫通孔を中心とする放射方向において前記貫通孔の外側となる領域に設けられた誤挿入防止部と、
前記筒部が前記貫通孔に挿入された状態で前記結合部と着脱可能に結合する支持部と、
を備え、
前記第１部材と前記第２部材とが結合した状態で、前記誤挿入防止部は、前記インク出口の中心軸に沿う方向に延びる突起を有し、前記突起は前記凹部に挿入可能に構成された、
ことを特徴とするインク補給容器。
【請求項８】
内部にインクを貯留可能なインク貯留室と、前記インク貯留室の前記内部へ前記インクの流入を可能とするインク入口と、前記インク入口の周囲に設けられた凹部と、を備えたインクタンクに前記インクを補給可能であり、
前記インクを収容可能な容器本体部と、前記容器本体部の端部に装着され、前記容器本体部の前記インクを流出させるインク出口が形成されたインク出口形成部と、を備え、
前記インク出口形成部は、前記インクタンクの前記凹部に挿入し、前記インクタンクへの誤挿入を防止する誤挿入防止部を備えたインク補給容器の製造方法であって、
前記インク出口形成部における前記誤挿入防止部は、第１誤挿入防止部と第２誤挿入防止部とが形成され、
前記第１及び第２誤挿入防止部のそれぞれに形成された複数の突起のうち、所定の前記突起を除去することを特徴とするインク補給容器の製造方法。
【請求項９】
請求項８に記載のインク補給容器の製造方法において、
前記複数の突起を支持する基部を形成し、
前記突起の前記基部側の端部に切欠きを形成することを特徴とするインク補給容器の製造方法。
【請求項１０】
請求項８または請求項９に記載のインク補給容器の製造方法において、
前記インク出口を介して前記第１誤挿入防止部と前記第２誤挿入防止部とが対向するように配置され、前記インク出口の中心に対して点対称となるように前記第１誤挿入防止部及び前記第２誤挿入防止部を形成することを特徴とするインク補給容器の製造方法。
【請求項１１】
請求項１０に記載のインク補給容器の製造方法において、
前記インク出口の中心に対して前記第１誤挿入防止部と前記第２誤挿入防止部とが点対称となるように前記突起を除去することを特徴とするインク補給容器の製造方法。
【請求項１２】
請求項１０または請求項１１に記載のインク補給容器の製造方法において、
前記第１誤挿入防止部及び前記第２誤挿入防止部に形成された前記複数の突起を全て除去することを特徴とするインク補給容器の製造方法。
【請求項１３】
請求項１０に記載のインク補給容器の製造方法において、
前記インク出口の中心に対して第１誤挿入防止部と第２誤挿入防止部とが点対称とならないように前記突起を除去することを特徴とするインク補給容器の製造方法。
【請求項１４】
請求項８に記載のインク補給容器の製造方法において、
形成された前記第１誤挿入防止部または前記第２誤挿入防止部を除去することを特徴とするインク補給容器の製造方法。